(57)【要約】【課題】  本考案は、乳房の寄せ、上げなどのバストの補整効果や、乳房の自然な丸みを現出可能でありながら、幅広いカップサイズのバストに対応可能なカップ部を有する衣類を提供する。【解決手段】  カップ部を有する衣類であって、前中心布を備えず、前記カップ部が下カップのみからなり、該下カップが前中心部側の一部を切り欠いて前中心部側からストラップ前側取り付け部まで連続した形状であって、かつ着用時に乳頭または乳輪の一部または全部を被覆しないよう上端縁の高さが設定されていることを特長とするカップ部を有する衣類。【選択図】図１
0003120122.tif 000002
【実用新案登録請求の範囲】
【請求項１】
カップ部を有する衣類であって、前中心布を備えず、前記カップ部が下カップのみからなり、該下カップが前中心部側の一部を切り欠いて前中心部側からストラップ前側取り付け部まで連続した形状であって、かつ着用時に乳頭または乳輪の一部または全部を被覆しないよう上端縁の高さが設定されていることを特長とするカップ部を有する衣類。
【請求項２】
カップ部を有する衣類であって、前中心布を備えず、カップ部における下カップが前中心部側の一部を切り欠いて前中心部側からストラップ前側取り付け部まで連続した形状であって、かつ着用時に乳頭または乳輪の一部または全部を被覆しないよう上端縁の高さが設定され、前記下カップの上側に、上カップを前記下カップの前中心部側端部より３〜４ｃｍ上方から下カップのストラップ前側取り付け部近傍に亘って乳頭または乳輪を被覆するように取り付けてなることを特長とするカップ部を有する衣類。
【請求項３】
前記カップ部の外側縁が、カップ部脇部外側縁からカップ部最下部外側縁にかけては乳房のバージスラインに類似する湾曲形状をなし、カップ部最下部外側縁から前中心部にかけてはほぼアンダーバストラインに平行する形状をなすことを特長とする請求項１または２に記載のカップ部を有する衣類。
【請求項４】
前記下カップは、芯材として弾力性を有する不織布及びプラスティック発泡体から選ばれる多孔質材料を用いてなることを特長とする請求項１乃至３のいずれか一項に記載のカップ部を有する衣類。
【請求項５】
前記プラスティック発泡体から選ばれる多孔質材料を用いてなる芯材がポリウレタンフォームであることを特長とする請求項４に記載のカップ部を有する衣類。
【請求項６】
前記芯材の厚みが２〜４ｍｍであることを特長とする請求項４または５に記載のカップ部を有する衣類。
【請求項７】
ブラジャー、ブラスリップ、ブラキャミソール、ボディスーツ、カップ付きテディ、水着から選ばれる衣類であることを特長とする請求項１乃至６のいずれか一項に記載のカップ部を有する衣類。
【考案の詳細な説明】
【技術分野】
【０００１】
本考案は、乳房の寄せ、上げなどのバストの補整効果や、乳房の自然な丸みを現出可能でありながら、幅広いカップサイズのバストに対応可能なカップ部を有する衣類である。
【背景技術】
【０００２】
ブラジャーなどのカップ部を有する衣類は、図３に示すようにカップ部１１、１１、ストラップ１２、１２、バック部１３、１３を備え、カップ部が下カップ１４と上カップ１５から形成され、前中心布１６により連結された構成が一般的である。近年、乳房の「寄せ」機能と「上げ」機能が重視される傾向が強くなっており、これらの機能を向上させるため、例えば、略三日月型のカップ脇布を有するもの（下記特許文献１〜４参照）、脇部側やカップ部下部に押さえ布や伸縮性の異なる部分を設けたもの（下記特許文献５〜７参照）が提案されている。
【０００３】
ところが、上記のような従来のカップ部を有する衣類は、乳房の「寄せ」機能や「上げ」機能を重視しているため、カップの容量に融通性がなく、Ａカップ、Ｂカップ、Ｃカップなど細かいサイズ設定をしなければならず、また、バストサイズが変化しやすい場合や、左右のカップサイズに差がある場合はカップがバストにフィットしにくいと言う問題があった。
【０００４】
幅広いカップサイズに対応させるため、カップ上部の面積が小さいものや、上カップのないもの、カップ部そのものがないものなどが提案されているが、「寄せ」機能が不十分であったり（下記特許文献１０参照）、「上げ」機能が不十分であったり（下記特許文献９、１１、１２参照）、「寄せ」「上げ」とも充分とはいえないもの（下記特許文献８、１３参照）であった。
【０００５】
更に、カップ部の前中心部がない構成とし、「寄せ」機能や「上げ」機能の向上と共に、カップの浮きやずれを防止するものも提案されているが（下記特許文献１４参照）、幅広いカップサイズへの対応は充分ではなかった。
【特許文献１】実公昭３２−１２８３５公報
【特許文献２】実用新案登録第２６００１８２号公報
【特許文献３】実用新案登録第２５７０７４６号公報
【特許文献４】実用新案登録第３００４０２７号公報
【特許文献５】実用新案登録第２５０４１５２号公報
【特許文献６】実用新案登録第３０１４３１８号公報
【特許文献７】実用新案登録第３０２９９５９号公報
【特許文献８】実公昭２９−３１３０公報
【特許文献９】実開平１−１６４７１１公報
【特許文献１０】実用新案登録第２６０７５３２号公報
【特許文献１１】特許第２９０５４６３号公報
【特許文献１２】特開２００５−８９８８１公報
【特許文献１３】特開２００５−１０５５０２公報
【特許文献１４】特開２００４−３１６０３６公報
【考案の開示】
【考案が解決しようとする課題】
【０００６】
本考案は、乳房を「寄せ」て「上げ」るなどの補整効果を有しながら、乳房の自然な丸みを現出可能とし、幅広いカップサイズのバストに対応可能なカップ部を有する衣類を提供することを目的とする。
【課題を解決するための手段】
【０００７】
上記の課題を解決するために、本考案は、次の様なカップ部を有する衣類を提供するものである。
【０００８】
（１）カップ部を有する衣類であって、前中心布を備えず、前記カップ部が下カップのみからなり、該下カップが前中心部側の一部を切り欠いて前中心部側からストラップ前側取り付け部まで連続した形状であって、かつ着用時に乳頭または乳輪の一部または全部を被覆しないよう上端縁の高さが設定されていることを特長とするカップ部を有する衣類。
【０００９】
（２）カップ部を有する衣類であって、前中心布を備えず、カップ部における下カップが前中心部側の一部を切り欠いて前中心部側からストラップ前側取り付け部まで連続した形状であって、かつ着用時に乳頭または乳輪の一部または全部を被覆しないよう上端縁の高さが設定され、前記下カップの上側に、上カップを前記下カップの前中心部側端部より３〜４ｃｍ上方から下カップのストラップ前側取り付け部近傍に亘って乳頭または乳輪を被覆するように取り付けてなることを特長とするカップ部を有する衣類。
【００１０】
（３）前記カップ部の外側縁が、カップ部脇部外側縁からカップ部最下部外側縁にかけては乳房のバージスラインに類似する湾曲形状をなし、カップ部最下部外側縁から前中心部にかけてはほぼアンダーバストラインに平行する形状をなすことを特長とする前記（１）または（２）に記載のカップ部を有する衣類。
【００１１】
（４）前記下カップは、芯材として弾力性を有する不織布及びプラスティック発泡体から選ばれる多孔質材料を用いてなることを特長とする前記（１）乃至（３）のいずれか一項に記載のカップ部を有する衣類。
【００１２】
（５）前記プラスティック発泡体から選ばれる多孔質材料を用いてなる芯材がポリウレタンフォームであることを特長とする前記（４）に記載のカップ部を有する衣類。
【００１３】
（６）前記芯材の厚みが２〜４ｍｍであることを特長とする前記（４）または（５）に記載のカップ部を有する衣類。
【００１４】
（７）ブラジャー、ブラスリップ、ブラキャミソール、ボディスーツ、カップ付きテディ、水着から選ばれる衣類であることを特長とする前記（１）乃至（６）のいずれか一項に記載のカップ部を有する衣類。
【考案の効果】
【００１５】
本考案のカップ部を有する衣類は、前中心布を備えず、下カップが前中心部側の一部を切り欠いて前中心部側からストラップ取り付け部まで連続した形状であって、かつ着用時に乳頭または乳輪の一部または全部を被覆しないよう上端縁の高さが設定されているため、乳房を「寄せて「上げ」るなどのバストの補整効果を有しながら、乳房の自然な丸みを現出可能とし、幅広いカップサイズのバストに対応可能となる。
【考案を実施するための最良の形態】
【００１６】
以下、図面を用いて、本考案を詳細に説明するが、本考案は下記の実施形態に限定されるものではない。
【００１７】
図１は、本考案のカップ部を有する衣類の一実施形態であるブラジャーの正面図、図２は、図１のブラジャーを着用した状態を示す正面図である。
【００１８】
図１におけるブラジャーは、左右一対のカップ部１、１、バスト部における左右一対のバック部３、３、およびカップ部１、１から肩部をまたがって左右のバック部３、３へ延びるストラップ２、２を有するブラジャーである。なお、ストラップ２、２にはそれぞれ長さ調節のための部材２ａと、バック部への取り付けおよび着用時の角度調節のための係止部材２ｂが取り付けられており、バック部３、３の両端部には互いに係止可能な一対の係止部材３ａ、３ｂが取り付けられている。
【００１９】
図１のブラジャーは、前中心布を備えず、カップ部における下カップ４、４が前中心部（図１中、符号７ｃで示される）側の一部を切り欠いて前中心部側からストラップ前側取り付け部９まで連続した形状であって、かつ着用時に乳頭または乳輪の一部または全部を被覆しないよう上端縁（図１中、符号６で示される。）の高さが設定されており、下カップ４、４の上側に、下カップ４、４の前中心部側端部８より３〜４ｃｍ上方から下カップのストラップ前側取り付け部９近傍に亘って乳頭および乳輪を被覆するよう上カップ５、５を取り付けてなる。
【００２０】
下カップが上記の構成であることにより、乳房の「寄せ」「上げ」などの補整効果や、自然な丸みの現出が可能となるとともに、下カップが「寄せ」て「上げ」られた乳房のボリュームを抑制する部分を有していないことにより、幅広いカップサイズのバストにも対応可能となる。
【００２１】
本考案においては、上記図１のブラジャーのように、下カップの上側に、下カップの前中心部側端部より３〜４ｃｍ上方から下カップのストラップ前側取り付け部近傍に亘って乳頭または乳輪を被覆するように上カップを取り付けてもよいが、図４のブラジャーのように、カップ部が下カップのみからなり、上カップを有しない構成であってもよい。図４のブラジャーは、本考案のカップ部を有する衣類の別の実施形態であるブラジャーを着用した状態を示す正面図であり、図１のブラジャーの示した態様と同一の部分には、同一の符号を付し、重複説明を省略している。
【００２２】
上記のような構成の上カップを有する場合は、乳頭や乳輪が露出することを防止するとともに、乳房の前中心部側のシルエットが上カップによって整えられ、安定性も向上する。上カップを、下カップの前中心部側端部より３〜４ｃｍ上方から下カップのストラップ前側取り付け部近傍に亘って乳頭または乳輪を被覆するような形状とすることにより、本考案の作用は阻害されることはない。上カップを有しない場合は、乳房の自然な丸みがより現出され、胸元の開口が広いアウターを着用する場合のインナーとしても着用できる。
【００２３】
本考案においては、図１のブラジャーのように、上カップは下カップの前中心部側端部（図１中、符号８で示される。）より３〜４ｃｍ上方（図１中、符号ｈで示される高さ。）から下カップのストラップ前側取り付け部（図１中、符号９で示される。）近傍に亘って乳頭または乳輪（図２中、符号１０で示される。）を被覆するように取り付けられているのが好ましい。上記構成とすることにより、乳房の「寄せ」「上げ」などのバストの補整効果や、乳房の自然な丸みの現出と、幅広いカップサイズのバストへの対応がよりバランスよく両立する。
【００２４】
さらに、本考案においては、図１のブラジャーのように、カップ部の外側縁が、カップ部脇部外側縁（図１中、符号７ａで示される。）からカップ部最下部外側縁（図１中、符号７ｂで示される。）にかけては乳房のバージスラインに類似する湾曲形状をなし、カップ部最下部外側縁（図１中、符号７ｂで示される。）から前中心部（図１中、符号７ｃで示される。）にかけてはほぼアンダーバストラインに平行する形状をなすのが好ましい。
【００２５】
カップ部の外側縁が上記構成であることにより、日常生活や運動による影響を受け難い脇部とアンダーバストをしっかり固定するとともに、強い「寄せ」と「上げ」の効果を発揮することが可能となる。
【００２６】
なお、本考案のカップ部を有する衣類は前中心布を有しないため、左右のカップ部は、前中心部においてカップ部外側縁から延在し、アンダーバストラインに平行するテープ状部分によって連結される。
【００２７】
本考案において、下カップは、芯材として弾力性を有する不織布及びプラスティック発泡体から選ばれる多孔質材料を用いるのが好ましく、プラスティック発泡体としてはポリウレタンフォームが特に好ましい。上記のような芯材を用いることにより、バストを確実に保持し、
「寄せ」と「上げ」の効果を発揮することが可能となり、また着用感も優れたものとなる。
【００２８】
上記芯材の厚みは２〜４ｍｍであるのが、バストの保持性の点から好ましい。
【００２９】
本考案において、着用感やデザイン性の点から、下カップは上記芯材の表面を表布で被覆して構成されるのが好ましい。表布は通常一般にカップ部を有する衣類に使用する各種の織物や編物、例えば布帛やトリコット、あるいはサテンやレース等の素材を使用することができ、着用時の表側と肌側で同種または異種の素材を使用することができる。
【００３０】
本考案において、上カップを有する場合、上カップの構成素材は、下カップによる本考案の作用が効果的に発現するよう、レース等の薄地の素材を用いるのが好ましい。
【００３１】
本考案において、下カップに対する上カップ取り付け方法はそれぞれを構成する素材によって縫合や接着などの方法を適宜選択される。
【００３２】
本考案において、上記カップ部及びカップ部外側縁の構成以外のカップ部を有する衣類の構成は、特に限定されず、その形状、サイズ、素材、製造方法等は本考案の作用を阻害しない範囲で、通常一般のカップ部を有する衣類と同様に構成され、例えば補整効果の向上のためボーン等の他の構成を有していても良い。
【００３３】
本考案の実施形態として、具体的には、上記実施形態のようなブラジャーの他に、ブラスリップ、ブラキャミソール、ボディスーツ、カップ付きテディ、水着等が挙げられる。本考案のカップ部を有する衣類は、本考案の作用を阻害しない範囲で、カップ部およびバック部の下側に、ウェスト近傍あるいは更にその下側まで延在する胴部を有していても良い。
【００３４】
図５に本考案のカップ部を有する衣類の別の実施形態であるボディスーツを着用した状態の正面図を示す。なお、図１のブラジャーの示した態様と同一の部分には、同一の符号を付し、重複説明を省略している。図５のボディスーツは、胴部１７が、カップ部１およびバック部３の下側に接続または連続して取り付けられている。
【産業上の利用可能性】
【００３５】
本考案によるカップ部を有する衣類は、乳房の「寄せ」「上げ」などのバストの補整効果や、乳房の自然な丸みを現出させることが可能でありながら、幅広いカップサイズのバストに対応可能であり、Ａカップ、Ｂカップ、Ｃカップといった幾つものカップサイズを供給する必要がないことから、製造コストの低減や、販売が容易になるなどの利点が生じる。また、バストサイズが変化しやすい女性や、左右のカップサイズに差のある女性向けとしても有用である。
【図面の簡単な説明】
【００３６】
【図１】本考案のカップ部を有する衣類の一実施形態であるブラジャーの正面図。
【図２】図１のブラジャーを着用した状態を示す正面図。
【図３】従来のブラジャーを着用した状態を示す正面図。
【図４】本考案のカップ部を有する衣類の別の実施形態であるブラジャーを着用した状態を示す正面図。
【図５】本考案のカップ部を有する衣類の別の実施形態であるボディスーツを着用した状態を示す正面図。
【符号の説明】
【００３７】
１  カップ部
２  ストラップ
３  バック部
４  下カップ
５  上カップ
６  下カップの上端縁
７ａ  カップ部脇部外側縁
７ｂ  カップ部最下部外側縁
７ｃ  前中心部
８  下カップ前中心部側端部
９  ストラップ前側取り付け部
１０  乳輪
１１  カップ部
１２  ストラップ
１３  バック部
１４  下カップ
１５  上カップ
１６  前中心布
１７  胴部
【図１】
0003120122.tif 000003
【図２】
0003120122.tif 000004
【図３】
0003120122.tif 000005
【図４】
0003120122.tif 000006
【図５】
0003120122.tif 000007